(57)【要約】【課題】スリッパを履くとき、スリッパの履く向きの前後の区別なく、スリッパの両端の二方向のどちらからでも、同じ状態のものを、容易に直ぐに履くことができ，スリッパを履いている間もスリッパと足とが常に密着していて足から脱落せず、又、脱ぐことができる両端二方向履きのシンプルなスリッパを提供する。【解決手段】スリッパ底部の上面部に設けられる、甲皮部と前記スリッパ底面部に設けられる底部とを、スリッパの履く方向が両端の二方向のどちらからでも、同じ状態で履くことができるようにしたことであり、また、スリッパ甲皮部材料は牛皮程度の強さ以上の型くずれしない材料と、ゴム入り布などの形状が伸縮する布地等の材料とを組み合わせて使用し、スリッパ両端の二方向のどちらから履いている間も、履く足に合わせ履き具合よく、ぴったり、と密着していてスマーとで着脱も容易な、甲皮部の材料構成形態としていることである。【選択図】図１
0003163963.tif 000002
【実用新案登録請求の範囲】
【請求項１】
スリッパの履く向きの前後の区別なく、スリッパの両端の二方向のどちらからでも、同じ状態で容易にすぐ履くことができ、又、脱ぐことができる、両端二方向履きスリッパの形態。
【請求項２】
スリッパ甲皮部に容易に型くずれしない、強さの適宜な材料と形状が伸縮する適宜な材料とで組み合わせて使用し、スリッパ両端二方向のどちらから履いている間も履く足に合わせ履き具合よく、ぴったり、と密着し、スリッパの着脱も容易にできる、甲皮部の材料構成形態。
【考案の詳細な説明】
【技術分野】
【０００１】本考案はスリッパに関するものであり、更に詳しくは、スリッパを履くとき、履く向きの前後の区別なく、スリッパの両端の二方向のどちらからでも、同じように容易にすぐ履くことができ、スリッパをどちらの方向から履いている間も、スリッパと足とが常に密着していて、足から脱落せずスムースに履き具合のよいスリッパに関するものである。
【背景技術】
【０００２】従来スリッパの形は、甲皮部と底部とを有するスリッパであって、履く方向の前後が一定の方向に決まっていて、履いて使用する方向が一方向のみに限られている。【０００３】両端二方向から履けるスリッパは従来技術として、既に公知技術として知られているが、履く足とスリッパ甲皮部とが接する密着度が不十分であり、又スリッパを二方向から履けるようにするために不自然且つ複雑な構成となっており、スリッパに求められるシンプル性に欠けており、複雑な構成であるため製品価格も高価となり、耐久性が低い欠点を有している。
【先行技術文献】
【特許文献】
【０００４】
【特許文献１】特開２００３−１０２５０１
【考案の概要】
【考案が解決しようとする課題】
【０００５】この従来例一般的スリッパにおいては、履いて使用する方向が一方向のみに決まっているので、スリッパを履くとき、履く足の方向を、スリッパの履く方向に合わせるか、又はスリッパの履く向きを、履く足の方向に合わせなければならないから、従って、体を垂直を軸にした回転をしたり、或いは態勢を低くしなければならないから、スリッパを急いで履かなくてはいけないときや、頻繁に脱いで又履かねばならないときや、両手に大きな荷物を抱えているときなど、不便である、このようなことは又更に、老齢者、身体不自由者、患者、妊婦などが使用するときは危険も伴う欠点を有している。【０００６】また、この従来例一般的スリッパにおいては、履いて使用する方向が一方向のみに決まっているため、この、スリッパを履いたとき、常に履く方向が同じであるためスリッパの使われる部分も同じとなるため、スリッパの同じ部分が一方的に早く磨耗し損傷する部分が決まってくるため、同じスリッパの磨耗し損傷しないスリッパの相当部分を残して、スリッパが使用できなくなる欠点を有している。【０００７】また、既に公知技術として知られている両方向履きスリッパにおいては、スリッパを履く足と、スリッパ甲皮部とが接する密着度が不十分であり、足になじみ難く、又、両方向履きとするための複雑な構成となっているため、スリッパに求められるシンプル性に欠けるため、製造方法も複雑となり、製品完成度の正確さを必要とし、従って高価となり、複雑な構成故に耐久性に欠け、着脱も簡単ではない欠点を有している。
【課題を解決するための手段】
【０００８】前記従来例スリッパの課題を解決するため、本考案の要旨はスリッパの上面部に設けられる、甲皮部と前記スリッパの低面部に設けられる底部とからすくなくとも構成されるスリッパであって、前記甲皮部と底部を、スリッパを履く方向が前後の区別なく、両端二方向のどちらからでも同じように簡単にすぐに履くことができ、又脱ぐことができるような形にしたことであり、また前記甲皮部材料は牛革程度の強さ以上の型くずれしない材料と、伸縮性を有するゴム入り布地材料などとを併用し、それぞれの履く足の方向に合わせて、スリッパと足と接する密着度を良好にして、履いている間も簡単に脱落しないようにし、容易に着脱でき、また前記底部材料は牛革程度の強さ以上の型くずれしない材料とする。
【考案の効果】
【０００９】本考案に係るスリッパによれば、スリッパを履くとき、スリッパの履く方向をスリッパを履く足の方向に合わせるか、スリッパを履く足の方向をスリッパの履く方向にその都度合わせなくても、スリッパを履く方向が前後の区別なく、両端二方向のどちらからでも同じように履くことができ、又脱ぐことができるので、常に同じ条件でスムースにスリッパを履くことができるから、スリッパを急いで履かなくてはいけないときや、頻繁に脱いで又履かねばならないときや、両手に大きな荷物を抱えているときなどや、又、老齢者、身体不自由者、患者、妊婦などがスリッパを履くときなどは優れた効果を奏する。【００１０】そしてスリッパの履く方向の前後をなくすことによりスリッパを偏った方向のみの履き方を避けスリッパの全体をほぼ同じ頻度で使用できるためスリッパの耐久力がほぼ倍加する、優れた効果を奏する。【００１１】スリッパ甲皮部３はスリッパ底部２に履く方向に前後の区別なく、同じ形で容易に型くずれしない牛革程度の強さ以上の適宜な材料で形成され取り付けられていることによって、スリッパを履くときや脱ぐときの良好な形が保たれているから、簡単に直ぐに履くことができ、又脱ぐことができる。【００１２】スリッパ甲皮部４は、容易に型くずれしない、スリッパ底部２とスリッパ甲皮部３とに添って、ゴム入り布などの、形状が伸縮する布地等の適宜な材料で形成されていることによって、両端二方向の何れかからの一方から履いたときも、それぞれ、スリッパに接する足の形に密接しなじむことができるように、ゴム入り布などの形状が伸縮する布地等の適宜な材料で形成されているので、スリッパを両端二方向のどちらから履いている間も、スリッパと足が常に密着しているので簡単に脱落せず履き具合がよく脱ぐときも簡単である。【００１３】スリッパの何れの一方向から履いている間も、スリッパと足とが常に密着しているので、外形としてもスムースに履き具合がよい、また、スリッパの構成がシンプルなため、製造方法も簡単となり、安価で製造することができる。
【図面の簡単な説明】
【００１４】
【図１】本考案に係る両端二方向履きスリッパ１の側面図である。
【図２】本考案に係る両端二方向履きスリッパ１の平面図である。
【考案を実施するための形態】
【００１５】次に、本発明の実施の形態について図面を参照しながら説明する。まず図１図２において、符号１は本考案に係る両端二方向履きスリッパを示し、このスリッパ１はスリッパ底部２と、このスリッパ底部２の上面部に設けられる甲皮部３と、同じく４と、から構成され、何れも、履く方向に前後の区別なく同じ形の適宜な材料で形成される。
【００１６】スリッパ底部２は、容易に型くずれしない牛革程度の強さ以上の適宜な材料で形成される。
【００１７】スリッパ甲皮部３は、容易に型くずれしない牛革程度の強さ以上の適宜な材料で形成される。
【００１８】スリッパ甲皮部４はゴム入り布などの形状が伸縮する布地等の適宜な材料で形成される。
【００１９】スリッパ甲皮部３と４はスリッパ底部２に履く方向に前後の区別なく、同じ形に形成され取り付けてあるので、履く方向の前後の区別なく、どちらからでも簡単に直ぐに履くことができ、又、脱ぐことができる。
【符号の説明】
【００２０】１  両端二方向履きスリッパ
２  両端二方向履きスリッパ底部（容易に型くずれしない牛革程度の強さ以上のもの）
３  両端二方向履きスリッパ甲皮部（容易に型くずれしない牛革程度の強さ以上のもの）
４  両端二方向履きスリッパ甲皮部（形状が伸縮する布地等）
【図１】
0003163963.tif 000003
【図２】
0003163963.tif 000004
【手続補正書】
【提出日】平成22年8月18日(2010.8.18)
【手続補正１】
【補正対象書類名】実用新案登録請求の範囲
【補正対象項目名】全文
【補正方法】変更
【補正の内容】
【実用新案登録請求の範囲】
【請求項１】
スリッパの両端の二方向のどちらからでも、履くことができる両端二方向履スリッパであって、長方形型の、短辺の両端は半楕円形の縁で、両長辺は直線に近いゆるい曲線の側縁となっている底部２と、前記底部２の前後方向側縁のほぼ中央位置に於いて、前記底部２の巾方向両側にかけて前記底部２のうえがわを、半楕円形でまたがるよう横断して、その頂部分は小幅で、底部２の側縁に近づくに従って除除に幅が広くなり、底部２の側縁部分では広幅となって、底部２の前後方向側縁部分に沿って取付けられる第１のスリッパの甲皮部３と、前記スリッパの甲皮部３の両側縁に沿って甲皮部４の中心部寄りの側縁を接続して前記底部２の前後方向の両側より前記底部２のうえがわを、半楕円形でまたがるよう横断して、その頂部分は小幅で、底部２の側縁に近づくに従って除除に幅が広くなり、底部２の側縁部分では中幅となって底部２の前後方向側縁部分に沿って取付けられる、一対の第２のスリッパ甲皮部４とを備え、この甲皮部４の、底部２の両端部寄りの両側縁先端部分に履きぐちが設けられており、前期スリッパ底部２と、前記第１のスリッパ甲皮部３は、型くずれしない牛革程度の強さ以上の材料で形が保たれるように形成され、前記一対の第２のスリッパ甲皮部４は、形状が伸縮する布地等により形成されており、このように、スリッパ底部２と、第１のスリッパの甲皮部３と、一対の第２のスリッパ甲皮部４、とを組み合わせた、形状、構造とすることを特徴とする両端二方向履スリッパ。